(57)【要約】  家具本体の荷重支持側壁に対して、家具の閉鎖位置と開放位置の間で傾斜角を変化可能な扉（２）を関節接合するヒンジ構造（１）であって、該ヒンジ構造は、側壁に固定されるように構成されるフレーム（９）と、扉に固定されるように構成される連結ロッド（１０）と、フレーム（９）との第１ヒンジ軸（１２）及び連結ロッド（１０）との第２ヒンジ軸（１３）を有する第１平衡装置（１１）と、フレームとの第３ヒンジ軸（１５）及び連結ロッドとの第４ヒンジ軸を有する第２平衡装置（１４）とによって形成される関節接合四辺形を含み、第１及び第３ヒンジ軸の間の距離は、第２及び第４ヒンジ軸（１６）の間の距離の半分以下であり、且つ、閉鎖位置において、第１及び第３ヒンジ軸を通る平面は、前記第２及び第４ヒンジ軸を通る平面とほぼ平行であることを特徴とする。
2010535301.tif 000002
【特許請求の範囲】
【請求項１】
家具本体の荷重支持側壁に対して、該家具の閉鎖位置と開放位置の間で傾動可能な扉を関節接合するためのヒンジ構造であって、前記側壁に固定されるように構成されたフレームと、前記扉に固定されるように構成された連結ロッドと、前記フレームとの第１ヒンジ軸及び前記連結ロッドとの第２ヒンジ軸を有する第１平衡装置と、前記フレームとの第３ヒンジ軸及び前記連結ロッドとの第４ヒンジ軸を有する第２平衡装置とによって形成される関節接合四辺形を含むヒンジ構造において、
前記第１ヒンジ軸と第３ヒンジ軸の間の距離は、前記第２ヒンジ軸と第４ヒンジ軸の間の距離の２分の１以下であり、且つ、前記閉鎖位置において、前記第１及び第３ヒンジ軸を通る平面は、前記第２及び第４ヒンジ軸を通る平面と実質的に平行であることを特徴とするヒンジ構造。
【請求項２】
前記第１ヒンジ軸と第３ヒンジ軸の間の距離は、前記第２ヒンジ軸と第４ヒンジ軸の間の距離の少なくとも３分の１であることを特徴とする、請求項１に記載のヒンジ構造。
【請求項３】
前記閉鎖位置において、前記第１及び第３ヒンジ軸を通る平面と、前記第２及び第４ヒンジ軸を通る平面は、前記側壁と直交する垂直面に対して０〜１２度傾斜することを特徴とする、請求項１又は請求項２に記載のヒンジ構造。
【請求項４】
前記フレームは、前記第１平衡装置の弾性リニアアクチュエータが取り付けられる前記側壁に固定するための固定板を含むことを特徴とする、請求項１乃至３のいずれか一項に記載のヒンジ構造。
【請求項５】
前記弾性リニアアクチュエータは、前記固定板に対する第５ヒンジ軸、及び前記第１ヒンジ軸を越えて延出する前記第１平衡装置の延長部に対する第６ヒンジ軸を有することを特徴とする、請求項１乃至４のいずれか一項に記載のヒンジ構造。
【請求項６】
前記弾性リニアアクチュエータは、前記固定板に対する第５ヒンジ軸を備えた円筒体と、前記第１平衡装置の延長部に対する第６ヒンジ軸を有する軸部とを有するガススプリングであることを特徴とする、請求項１乃至５のいずれか一項に記載のヒンジ構造。
【請求項７】
前記第１平衡装置は、前記扉の閉鎖を減速させるために、前記固定板に取り付けられる減速装置と前記閉鎖位置付近において干渉するように構成された径方向突起を有することを特徴とする、請求項１乃至６のいずれか一項に記載のヒンジ構造。
【請求項８】
前記第１平衡装置が前記第２平衡装置の下方に位置することを特徴とする、請求項１乃至７のいずれか一項に記載のヒンジ構造。
【請求項９】
前記弾性リニアアクチュエータは、前記開放位置及び前記閉鎖位置の間における３０度以下の角度範囲で、往復動可能であることを特徴とする、請求項１乃至８のいずれか一項に記載のヒンジ構造。
【請求項１０】
前記扉の移動中に、前記第５及び第６ヒンジ軸を通る平面が、前記第１平衡装置において前記弾性リニアアクチュエータが生じさせる回転モーメントの方向を逆転させるために、閉鎖位置付近において、前記第１及び第５ヒンジ軸を通る平面の一方の側から、該平面の他方の側へ移動するように構成されることを特徴とする、請求項１乃至９のいずれか一項に記載のヒンジ構造。
【請求項１１】
前記弾性リニアアクチュエータが前記第１平衡装置に生じさせる第１ヒンジ軸に対する回転力のアームの変動は、前記扉の重量が前記第１平衡装置に生じさせる前記第１ヒンジ軸に対する逆回転力のアームの変動に、実質的に正比例して変化することを特徴とする、請求項１乃至１０のいずれか一項に記載のヒンジ構造。
【請求項１２】
請求項１乃至１１のいずれか一項に記載される少なくとも１つのヒンジ構造を有することを特徴とする家具。
【発明の詳細な説明】
【技術分野】
【０００１】
本発明は、可傾式扉を家具本体の荷重支持側壁に間接接合するためのヒンジ構造に関する。
このヒンジ構造は、特に室内用家具の分野における用途（例えば台所の壁面ユニットの可傾式扉の関節接合）を有するが、用途はこれに限定されるものではない。
【背景技術】
【０００２】
周知の可傾式扉は、家具の２つの側面の内側面に固定される一対のヒンジを介して、家具本体に取り付けられる。
各ヒンジは概して、家具側面に固定されるフレームと、扉に固定される連結ロッドと、フレームを連結ロッドに連結する一対の平衡装置とによって形成される関節接合四辺形を含む。
【０００３】
ヒンジは、初期開放工程において、回転中に家具本体の支持面と扉が干渉しないように、家具本体の支持面自体に対して横方向に移動することにより、扉を家具本体の支持面から離すことができなければならない。
【０００４】
周知の解決方法における関節接合四辺形は概して、扉の初期開放段階において、実質的に関節接合平行四辺形として機能するように、対向する辺同士が同じ寸法を有するように構成される。
【０００５】
このようなヒンジ構造は、扉が回転中に安定しにくいという問題を生じる。
関節接合四辺形を採用する構成は、実際のところ、関節接合平行六面体の構成に極めて近く、連結ロッドの瞬間回転軸は、連結ロッド自体からかなり離れた軌跡を描く。
【０００６】
このため、扉の回転中に、２つの四辺形が不調和な変形を起こす可能性があり、このような変形が起きた結果、扉にねじれが生じる。
したがって、扉を安定させるために、２つのヒンジの関節接合四辺形を棒状体で連結し、ヒンジの変形を同期させることにより、扉の好ましくないねじれを防止することが必要である。
【０００７】
しかしながら、この解決法は、付加的な安定化要素を含むことになり、家具内部の使用可能な空間を制限する。
【発明の概要】
【発明が解決しようとする課題】
【０００８】
したがって、本発明が提案する技術的課題は、従来技術の技術的欠点を排除することのできる、可傾式扉を家具本体の荷重支持側壁に関節接合するためのヒンジ構造を製造することにある。
【課題を解決するための手段】
【０００９】
この技術的課題の範囲において、本発明の目的の一つは、付加的な安定化要素を使用しなくても扉に必要な安定性をもたらす、可傾式扉を家具本体の荷重支持側壁に関節接合するためのヒンジ構造を製造することである。
【００１０】
本発明の別の目的は、扉が回転中に家具本体の支持面と干渉しないように、初期開放段階において支持面から離れるように移動する最適な軌跡を扉が描くことができる、可傾式扉を家具本体の荷重支持側壁に関節接合するためのヒンジ構造を製造することにある。
【００１１】
本発明の別の目的は、有効であると共に信頼性があり、また簡素且つ小型である、可傾式扉を家具本体の荷重支持側壁に関節接合するためのヒンジ構造を製造することにある。
技術的課題、ならびにこれら及び他の目的は、本発明に従って、請求項１に係る可傾式扉を家具本体の荷重支持側壁に関節接合するためのヒンジ構造を製造することにより、達成される。
【００１２】
扉の閉鎖位置における連結ロッドとフレームの実質的な類似性により、扉は、初期開放段階において、支持面と干渉することなく、その支持面から離れることを可能にする一方で、連結ロッドの長さとフレームの長さが著しく相違するため、連結ロッドの瞬間回転軸の軌跡を連結ロッドに近いままとすることができ、その結果、ヒンジは、付加的な安定化要素を用いることなく、必要な安定性を扉にもたらすことができる。
【００１３】
本発明の他の特徴は、更に、後続の特許請求の範囲によって定義される。
本発明の更なる特徴及び効果は、添付の図面において非限定的に示される、発見された事項に基づく、可傾式扉を家具本体の荷重支持側壁に関節接合するためのヒンジ構造の好適ではあるがこれに限定されない実施形態の説明から、より明らかになるであろう。
【図面の簡単な説明】
【００１４】
【図１】扉が開放状態にある、家具の側面と平行な垂直方向断面における、本発明の家具の側面図。
【図２】扉が開放状態にある、図１の家具の斜視図。
【図３】扉が閉鎖状態にある、図１に示す家具を示す図。
【図４】扉が閉鎖状態にある、図２に示す家具を示す図。
【図５】図１の家具の正面図。
【発明を実施するための形態】
【００１５】
図１乃至５を参照すると、可傾式扉２を家具４の本体の荷重支持側壁、即ち側面３に関節接合するためのヒンジ構造１が示されている。
具体的には、家具４は、左右の側面３（左側の側面のみ図示）に加えて、底面５、背面６、及び上面７を有する。
【００１６】
左右の側面３、上面７、及び底面５は、前側部分において、扉２が閉鎖位置にあるときに扉２を支持する前側支持面８を画定する。
扉２を側面３に間接接合するために必要な２つのヒンジ構造のうち、１つのヒンジ構造１（左側のヒンジ構造）のみが図示されている。
【００１７】
当然のことながら、右側のヒンジも、以下において詳細に説明される左側のヒンジと同様の構造を有する。
ヒンジ構造１は、側壁３に固定されるように構成されたフレーム９と、扉２に固定されるように構成された連結ロッド１０と、フレーム９との第１ヒンジ軸１２及び連結ロッド１０との第２ヒンジ軸１３を有する第１平衡装置１１と、フレーム９との第３ヒンジ軸１５及び連結ロッド１０との第４ヒンジ軸１６を有する第２平衡装置１４とによって形成される関節接合四辺形を含む。
【００１８】
ヒンジ軸１２，１３，１５及び１６は全て、扉２が閉鎖位置と開放位置との間で（水平方向の）瞬間回転軸を中心に回転できるように、当然ながら水平かつ互いに平行である。扉２が開放位置にあるときの瞬間回転軸は、図１において符号１７にて示される（図１において、作図線も、扉２の開放位置における瞬間回転軸１７を識別するために示されている）。
【００１９】
第１平衡装置１１は、共通の垂直面において第２平衡装置１４の下方に位置し、第２平衡装置１４と合致する形状を有しているため、扉２の閉鎖位置において第１平衡装置１１と第２平衡装置１４が噛み合う。
【００２０】
本発明の顕著な特徴の一つは、第１ヒンジ軸１２と第３ヒンジ軸１５の間の距離が、第２ヒンジ軸１３と第４ヒンジ軸１６の間の距離の半分以下であるという事実、及び、扉２が閉鎖位置にあるときに、第１及び第３ヒンジ軸１２及び１５を通る平面１８は、第２及び第４ヒンジ軸１３及び１６を通る平面１９とほぼ平行であるという事実である。
【００２１】
具体的には、図１において、扉２が閉鎖位置にあるときに関節接合四辺形がとる形態が太線で示されている（符号１８及び１９にて示される平面に加えて、平面２０も示されている。平面２０は第１及び第２ヒンジ軸１２及び１３を通り、同様に平面２１は第３及び第４ヒンジ軸１５及び１６を通る）。
【００２２】
なお図１において、一点鎖線は、扉２の閉鎖位置と開放位置の間における連結ロッド１０の第２ヒンジ軸１３及び第４ヒンジ軸１６によってそれぞれ描かれる軌跡２２及び２３を示す。
【００２３】
好適には、第１ヒンジ軸１２と第３ヒンジ軸１５の間の距離は、第２ヒンジ軸１３と第４ヒンジ軸１６の間の距離の少なくとも３分の１である。
扉２の閉鎖位置において、第１ヒンジ軸１２及び第３ヒンジ軸１５を通る平面１８、ならびに第２ヒンジ軸１３及び第４ヒンジ軸１６を通る平面１９は、前側支持面８と平行な垂直面に対して、０度〜１２度傾斜する。
【００２４】
フレーム９は、側壁３に固定するための固定板２５を含み、固定板２５上には、第１平衡装置１１を作動させるように構成された弾性リニアアクチュエータ２６が取り付けられる。
【００２５】
弾性リニアアクチュエータ２６は、固定板２５に対する第５ヒンジ軸２７と、第１平衡装置１１の延長部２９に対する第６ヒンジ軸２８とを有する。延長部２９は、第１ヒンジ軸１２を越えて延出する。
【００２６】
好適な方法で、弾性リニアアクチュエータ２６は、側面３の後側部分から前側部分へ下方に傾斜するように配置されると共に、第５ヒンジ軸２７の周りにおいて、扉２の開放位置から閉鎖位置までに、制限された角度範囲、好適には３０度以下を有する。
【００２７】
これは、家具４の側面３上において、フレーム９の寸法を更に制限することを許容する。
弾性リニアアクチュエータ２６は、より正確には、固定板２５に対する第５ヒンジ軸２７を備えた円筒体３０と、第１平衡装置１１の延長部２９に対する第６ヒンジ軸２８を有する軸部３１とを有するガススプリングからなる。
【００２８】
弾性リニアアクチュエータ２６の円筒体３０から延出する軸部３１の延出端の停止は、扉２の開放位置を決定すると共に、扉２の開放位置において、扉２と家具４の上面７との間に干渉を生じないように設計される。
【００２９】
第１平衡装置１１は更に、扉２の閉鎖位置付近において、扉２の閉鎖を減速させるために、固定板２５に取り付けられた周知のタイプの減速装置３３と干渉するように構成された径方向突起３２を有する。
【００３０】
弾性リニアアクチュエータ２６の往復動は、扉２の閉鎖位置付近においては、第５ヒンジ軸２７及び第６ヒンジ軸２８を通る平面を、第１ヒンジ軸１２及び第５ヒンジ軸２７を通る平面の一方の側から他方の側へ移動させる。この移動に際し、第１平衡装置１１上では、弾性リニアアクチュエータ２６が生じさせる回転モーメントの方向が逆転する。
【００３１】
実質上、扉２の初期開放段階においては、弾性リニアアクチュエータ２６は、使用者が生じさせる回転モーメントと一致しない回転モーメントを生じさせ、その一方で、扉２の最終閉鎖段階においては、弾性リニアアクチュエータ２６は、扉２を閉鎖位置で安定させるために、使用者が生じさせる回転モーメントと一致する回転モーメントを生じさせる。
【００３２】
扉２の最終閉鎖段階において、更に、減速装置３３が介在することで、扉２が前側支持面８に激しく衝突することを防止する。
注目されるべき点として、本発明のヒンジ構造１は、扉２の初期開放段階後（即ち、第５ヒンジ軸２７及び第６ヒンジ軸２８を通る平面が、第１ヒンジ軸１２及び第５ヒンジ軸２７を通る平面の上方から該平面の下方へ移動した後）に、関節接合四辺形がとる全ての形態において、扉２の重量によって第１平衡装置１１に生じる回転モーメントと、弾性リニアアクチュエータ２６によって第１平衡装置１１に生じる反対方向への回転モーメントとの間に、実質的な平衡を生じさせることができる。
【００３３】
弾性リニアアクチュエータ２６が第１平衡装置１１に生じさせる第１ヒンジ軸１２に対する回転力のアームの変動と、扉２の重量によって第１平衡装置１１に生じる第１ヒンジ軸１２に対する逆回転力のアームの変動との間には、実質的な正比例関係があると考えられる。
【００３４】
実質上、扉２の移動のために、使用者は、第１平衡装置１１の実質的な平衡を崩すために十分な力で手を使って回転させなければならない。
実際のところ、付加的な安定化要素を利用せずに扉の好ましくないねじれを防ぐために、関節接合四辺形の連結ロッドの瞬間回転軸を連結ロッド自体に接近させた状態で保つことにより扉に所望させる安定性を付与するという事実によって、いかに本発明に係るヒンジ構造が特に有利な効果を有するかが実証されている。
【００３５】
本発明のヒンジ構造は、多くの改変形態及び変形形態にて実施できるが、それらは全て、本発明の概念の範囲内にある。さらに、全ての詳細事項は、技術的に均等な設計に置換可能である。
【００３６】
実施に際し、要件及び技術水準に応じて、使用される材料や寸法は任意のタイプのものとすることができる。
【図１】
2010535301.tif 000003
【図２】
2010535301.tif 000004
【図３】
2010535301.tif 000005
【図４】
2010535301.tif 000006
【図５】
2010535301.tif 000007
【手続補正書】
【提出日】平成22年4月16日(2010.4.16)
【手続補正１】
【補正対象書類名】特許請求の範囲
【補正対象項目名】全文
【補正方法】変更
【補正の内容】
【特許請求の範囲】
【請求項１】
家具本体の荷重支持側壁に対して、該家具の閉鎖位置と開放位置の間で傾動可能な扉を関節接合するためのヒンジ構造であって、前記側壁に固定されるように構成されたフレームと、前記扉に固定されるように構成された連結ロッドと、前記フレームとの第１ヒンジ軸及び前記連結ロッドとの第２ヒンジ軸を有する第１平衡装置と、前記フレームとの第３ヒンジ軸及び前記連結ロッドとの第４ヒンジ軸を有する第２平衡装置とによって形成される関節接合四辺形を含み、前記第１ヒンジ軸と第３ヒンジ軸の間の距離は、前記第２ヒンジ軸と第４ヒンジ軸の間の距離の２分の１より小さく、且つ、前記閉鎖位置において、前記第１及び第３ヒンジ軸を通る平面は、前記第２及び第４ヒンジ軸を通る平面と実質的に平行であるヒンジ構造において、
前記フレームは、前記第１平衡装置の弾性リニアアクチュエータが取り付けられる前記側壁に固定するための固定板を含み、前記弾性リニアアクチュエータは、前記固定板に対する第５ヒンジ軸、及び前記第１ヒンジ軸を越えて延出する前記第１平衡装置の延長部に対する第６ヒンジ軸を有し、前記弾性リニアアクチュエータが前記第１平衡装置に生じさせる第１ヒンジ軸に対する回転力のアームは、前記扉の重量が前記第１平衡装置に生じさせる前記第１ヒンジ軸に対する逆回転力のアームに、実質的に正比例して変化することを特徴とするヒンジ構造。
【請求項２】
前記第１ヒンジ軸と第３ヒンジ軸の間の距離は、前記第２ヒンジ軸と第４ヒンジ軸の間の距離の少なくとも３分の１であることを特徴とする、請求項１に記載のヒンジ構造。
【請求項３】
前記閉鎖位置において、前記第１及び第３ヒンジ軸を通る平面と、前記第２及び第４ヒンジ軸を通る平面は、前記側壁と直交する垂直面に対して０〜１２度傾斜することを特徴とする、請求項１又は請求項２に記載のヒンジ構造。
【請求項４】
前記弾性リニアアクチュエータは、前記固定板に対する第５ヒンジ軸を備えた円筒体と、前記第１平衡装置の延長部に対する第６ヒンジ軸を有する軸部とを有するガススプリングであることを特徴とする、請求項１乃至３のいずれか一項に記載のヒンジ構造。
【請求項５】
前記第１平衡装置は、前記扉の閉鎖を減速させるために、前記固定板に取り付けられる減速装置と前記閉鎖位置付近において干渉するように構成された径方向突起を有することを特徴とする、請求項１乃至４のいずれか一項に記載のヒンジ構造。
【請求項６】
前記第１平衡装置が前記第２平衡装置の下方に位置することを特徴とする、請求項１乃至５のいずれか一項に記載のヒンジ構造。
【請求項７】
前記弾性リニアアクチュエータは、前記開放位置及び前記閉鎖位置の間における３０度以下の角度範囲で、往復動可能であることを特徴とする、請求項１乃至６のいずれか一項に記載のヒンジ構造。
【請求項８】
前記扉の移動中に、前記第５及び第６ヒンジ軸を通る平面が、前記第１平衡装置において前記弾性リニアアクチュエータが生じさせる回転モーメントの方向を逆転させるために、閉鎖位置付近において、前記第１及び第５ヒンジ軸を通る平面の一方の側から、該平面の他方の側へ移動するように構成されることを特徴とする、請求項１乃至７のいずれか一項に記載のヒンジ構造。
【請求項９】
請求項１乃至８のいずれか一項に記載される少なくとも１つのヒンジ構造を有することを特徴とする家具。
【手続補正３】
【補正対象書類名】明細書
【補正対象項目名】０００１
【補正方法】変更
【補正の内容】
【０００１】
本発明は、可傾式扉を家具本体の荷重支持側壁に関節接合するためのヒンジ構造に関する。
このヒンジ構造は、特に室内用家具の分野における用途（例えば台所の壁面ユニットの可傾式扉の関節接合）を有するが、用途はこれに限定されるものではない。
【国際調査報告】
2010535301.tif 000008
2010535301.tif 000009